(57)【要約】本発明は、第一の記録速度Ｒでのパルス化された放射線ビーム３２で情報レイヤ３０１を照射することで記録キャリア３０の情報レイヤ３０１にマークを記録するためのライトストラテジ、特に２Ｔライトストラテジの第一の書き込みパラメータＷのセットを、第二の記録速度Ｒ’でマークを記録するためのライトストラテジの第二の書込みパラメータのセットに変換する方法及び対応する装置に関する。第二の記録速度での少なくとも許容可能な記録性能を達成するため、書き込みパルスの期間が実質的に時間的に一定に保持され、マークを記録するための完全な書込みパルスの系列の期間は、基準クロックＴの分数として実質的に一定に保持されることが本発明に従って提案される。
2006528817.tif 000002
【特許請求の範囲】
【請求項１】
第一の記録速度でパルス化された放射線ビームで記録キャリアの情報レイヤを照射することで該情報レイヤにマークを記録するためのライトストラテジの第一の書込みパラメータのセットを、第二の記録速度でマークを記録するためのライトストラテジの第二の書込みパラメータのセットに変換する方法であって、
前記書込みパルスの期間は、時間的に実質的に一定に保持され、マークを記録するための完全な書込みパルスの系列の期間は、基準クロックの分数として実質的に一定に保持される、
ことを特徴とする方法。
【請求項２】
ｎが４，６，８又は１０に等しい整数値を表し、Ｔが基準クロックの１周期の長さを表すものとして、時間長ｎＴを有する偶数マークはｎ／２の書込みパルスの系列により書き込まれ、ｎが５，７，９又は１１に等しい整数値を表すものとして、時間長ｎＴを有する奇数マークは、（ｎ−１）／２の書込みパルスの系列により書き込まれ、時間長３Ｔを有するマークは、単一の書込みパルスにより書き込まれる、
請求項１記載の方法。
【請求項３】
奇数マークを書き込むための書込みパルスの系列における最後の書込みパルスは、偶数マークを書き込みための書込みパルスの系列における最後の書込みパルスよりも長い期間であり、奇数マークを書き込むための書込みパルスの系列における最後の書込みパルスに先行するギャップは、偶数マークを書き込むための書込みパルスの系列における最後の書込みパルスに先行するギャップよりも長い期間である、
請求項２記載の方法。
【請求項４】
前記期間は時間的に一定に保持され、１〜５ナノ秒のレンジにあり、特に２〜４ナノ秒のレンジにある、
請求項３記載の方法。
【請求項５】
前記書込みパルスの期間は、奇数マークを書き込むための最後のパルスを除いて、時間長３Ｔを有するマークを書き込むための書込みパルスを除いて、５〜１０ナノ秒のレンジにあり、特に、７．２ナノ秒に実質的に等しく、
前記期間は、２〜５ナノ秒のレンジにあり、特に３．６ナノ秒に実質的に等しい期間を有し、
時間長３Ｔを有するマークを書き込むための単一の書込みパルスの期間は、８〜１５ナノ秒のレンジにあり、特に１２．６ナノ秒に実質的に等しい、
請求項３記載の方法。
【請求項６】
Ｔが前記基準クロックの１周期の長さを表すとして時間長３Ｔを有するマークは、その開始が偶数マーク又は奇数マークを書き込むための書込みパルスの開始に関して期間ｄＴ3により遅延され、偶数マークを書き込むための書込みパルスよりも長い期間である、時間長Ｔ３’−ｄＴ3を有する単一の書込みパルスにより書き込まれる、
請求項１記載の方法。
【請求項７】
ｎが４，６，８又は１０に等しい整数値を表し、Ｔが基準クロックの１周期の長さを表すとして時間長ｎＴを有するマークを書き込むための完全な書込みパルスの系列の期間は、（ｎ−Θeven）Ｔに等しく、ｎが５，７，９又は１１に等しい整数値を表すとして時間長ｎＴを有するマークを記録するための完全な書込みパルスの系列の期間は、（ｎ−Θodd）Ｔに等しく、時間長３Ｔを有するマークを記録する後続するクーリングギャップ及び単一の書込みパルスの期間は、（３−Θ3）Ｔに等しく、前記Θeven、Θodd及びΘ3の値は、前記基準クロックの分数として一定に保持される、
請求項１記載の方法。
【請求項８】
前記Θevenは５／８Ｔ〜９／８Ｔのレンジにあり、特に７／８Ｔに実質的に等しく、
前記Θoddは６／８Ｔ〜１０／８Ｔのレンジにあり、特に８／８Ｔに実質的に等しく、
前記Θ3は５／８Ｔ〜９／８Ｔのレンジにあり、特に７／８Ｔに実質的に等しい、
請求項７記載の方法。
【請求項９】
第一の記録速度でパルス化された放射線ビームで記録キャリアの情報レイヤを照射することで前記情報レイヤにマークを記録するためのライトストラテジの第一のライトパラメータのセットを第二の記録速度でマークを記録するための前記ライトストラテジの第二の書込みパラメータのセットに変換するための装置であって、
当該装置は、
前記第一の書込みパラメータのセット及び前記第一及び第二の速度に関する情報を受けるための入力手段と、
書込みパルスの期間を時間的に一定に保持するための第一の変換手段と、
マークを記録するための完全な書込みパルスの系列の期間を基準クロックの分数として一定に保持するための第二の変換手段と、
前記第二の書込みパラメータのセットを出力するための出力手段と、
を有することを特徴とする装置。
【請求項１０】
パルス化された放射線により記録キャリアの情報レイヤを照射することでライトストラテジを使用して前記情報レイヤにマークを記録する記録装置であって、それぞれのマークは、１以上の書込みパルスの系列により書き込まれ、
当該記録装置は、
前記放射線ビームを供給するための放射線源と、
前記放射線ビームの電力を制御し、マークを記録するためにパルス系列を供給するために作用する制御ユニットと、
記録速度を選択及び／又は制御するために作用する選択ユニット、
請求項１に従って、第一の記録速度でマークを記録するためのライトストラテジの第一の書き込みパラメータのセットを第二の記録速度でマークを記録するための前記ライトストラテジの第二の書込みパラメータのセットに変換する変換装置と、
を有することを特徴とする記録装置。
【請求項１１】
前記選択ユニットは、一定の角速度の動作、部分的な一定の角速度の動作、又は分割された一定の線形速度の動作に従って記録速度を制御するために調整される、
請求項１０記載の記録装置。
【請求項１２】
異なる記録速度でマークを記録するための少なくとも２つの書込みパラメータ設定のセットを記憶する記憶手段を更に有し、前記変換装置は、選択された記録速度に従って前記記憶手段から対応する書込みパラメータ設定のセットを選択するために更に作用する、
請求項１０記載の記録装置。
【発明の詳細な説明】
【技術分野】
【０００１】
本発明は、記録キャリアの情報レイヤにマークを記録するためのライトストラテジの第一の書込みパラメータのセットを、該情報レイヤを第一の記録速度でパルス放射ビームにより照射することで、第二の記録速度でマークを記録するためのかかるライトストラテジの第二の書込みパラメータのセットに変換する方法及び対応する装置に関する。さらに、本発明は、パルス放射ビームにより情報レイヤを照射することで記録キャリアの情報レイヤにマークを記録する記録装置に関し、それぞれのマークは、ワイトストラテジに従って１以上の書込みパルスの系列により書き込まれる。
【０００２】
本発明は、相変化レイヤとして一般的に知られている結晶相と非結晶相との間の可逆的に変化する位相を有する情報レイヤを含む記録キャリアとの使用について特に適している。かかる相変化レイヤは、たとえばＣＤ−ＲＷ及びＤＶＤ−ＲＷディスクのような書換え可能なタイプの光記録キャリアに適用されることがある。光信号の記録動作は、相変化レイヤにおける信号をマークのパターンとして記録するように、放射ビームの放射条件を変えることで、レイヤにおける記録材料が非結晶相と結晶相との間で位相において可逆的に変化する方式である。記録された信号の再生動作は、信号が再生するように、相変化レイヤの非結晶相と結晶相との間の光学特性における違いを検出することで実行される。かかる相変化レイヤにより、書き込みパワーレベル、消去パワーレベル及びバイアスパワーレベルの間で放射ビームの電力を変調することで、情報を記録及び消去することができる。
【背景技術】
【０００３】
記録速度は、光記録で主要な性能の要素である。ＣＤ−ＲＷについて、１×から４×（１×は約１．２ｍ／ｓのＣＤデジタルオーディオディスクの標準的なスキャニング速度である）基本的な標準が定義されており、高速ＣＤ−ＲＷ規格は、４×から１０×までのレンジを有している。２００２年９月には、最新の超高速ＣＤ−ＲＷ規格のバージョン１．０がリリースされ、３２×及び更に高速用のリザベーションを含めて、２４×までの速度用のＣＤ−ＲＷを定義している（レコーダブル・コンパクト・ディスク・システム，パート３：ＣＤ−ＲＷ，ボリューム３：超高速，バージョン１．０，２００２年９月）。これらの更に高速な記録速度を達成するため、超高速ＣＤ−ＲＷ規格で定義されるような、いわゆる２Ｔストラテジからなる使用が行われる必要がある。ここでは、基準クロックの２クロックサイクル毎に基本的に１つの書込みパルスが使用される（１クロックサイクルはＴとして示される）。これは、２つの連続した書込みパルスの間で十分なクーリング時間を得て、高速の相変化材料で特に問題となる再結晶化を回避するために行われる。かかる２Ｔライトストラテジの結果は、連続する偶数及び奇数のマークが、たとえば６Ｔ及び７Ｔマークの両者について３パルスである同じ数の書き込みパルスで書き込まれることである。
【０００４】
２Ｔライトストラテジを使用した光記録キャリアの情報レイヤにマークを記録する方法及び記録装置は、欧州特許出願０２０８０３９４．６（ＰＨＮＬ０２１３９１ＥＰＰ）に記載されている。記載される方法及び記録装置は、記録されるべき記録キャリアに特に調整される書込みパラメータの設定が２Ｔ書込みパラメータで使用するために利用可能でないとき、又は記録キャリアを識別することができないとき、情報レイヤにマークをどのように記録するかといった問題を解決する。２Ｔライトストラテジの書き込みパラメータの好適な設定が提案される。
【０００５】
２Ｔライトストラテジの重要な態様は、同じ数の書込みパルスで書き込まれた偶数マークと奇数マークとの間の違いを定義する書込みパラメータの選択である。偶数マークは、マルチパルス長Ｔmp及びクーリングギャップＴCをもつパルス列を適用することで、一般に直接的なやり方で記録される。（偶数マーク＋１Ｔの長さ）の長さをもつ対応する奇数マークを記録するため、３つのポジションでパルス列が変更され、終わりから２番目のギャップのエロンゲーション（Δ1g）、最後のパルスのエロンゲーション（Δ1p）及び最後のクーリングギャップのエロンゲーション（Δ2）。超高速ＣＤ−ＲＷ規格によれば、Δ1g＝Δ1p＝Δ1である。さらに、最短のマークの長さＩ３は、パルス長Ｔ3、ギャップ長ＴC3及びリーディングエッジのシフトｄＴ3といった３つの特定のパラメータにより定義される。
【０００６】
かかる２Ｔストラテジを実現するとき、ジッタの記録が多数の書き込みパラメータに対して非常に感度が高いことが観察される。結果的に、これらのパラメータは非常に正確に調整される必要がある。問題は、最適なパラメータ設定が異なる記録速度について異なることである。ドライブにおけるディスクの制限された回転速度のため、ディスクの外径で最大の記録速度が達成され、ディスクの内径での記録速度は、通常低い。超高速ＣＤ−ＲＷのケースでは、最大の速度は、（現在のところ）２４×又は３２×、又は（将来的には）より高速となる可能性があり、ディスクの内径で典型的な１６×（又は２０×）の記録速度が達成される。したがって、記録速度は、たとえば一定の角速度（ＣＡＶ）モード、Ｐ−ＣＡＶ（パーシャルＣＡＶ）モードで、ディスクの内側から外側にドライブにおいて増加され、ここで第一の部分はＣＡＶモードで書き込まれ、第二の部分はディスクの最大の記録速度での一定の線形速度（ＣＬＶ）、又は記録速度が多数の離散ステップで増加されるＺ−ＣＬＶモード（ゾーンＣＬＶ）で書き込まれる。したがって、記録速度を変えるとき、新たな最適な書込みパラメータのセットがそれぞれの記録速度について決定される必要がある。
【発明の開示】
【発明が解決しようとする課題】
【０００７】
したがって、本発明の目的は、望まれないジッタの増加を出来る限り回避しつつ、記録性能又は記録されたマークの品質を低下することなしに、第一の記録速度で調整されるライトストラテジの第一の書込みパラメータのセットを第二の記録速度に調整されるかかるライトストラテジの第二の書込みパラメータのセットに変換するための方法及び対応する装置を提供する。
【課題を解決するための手段】
【０００８】
上記目的は、請求項１に記載される方法を提供することで本発明に従って達成され、書込みパルスの期間は、時間に関して実質的に一定に保持され、マークを記録するための完全な書込みパルスの系列の期間は、基準クロックの分数として実質的に一定に保持される。
【０００９】
本方法を実行するために適合される対応する装置は、請求項９で定義され、かかる装置は、第一の書込みパラメータのセットと上記第一及び第二の記録速度に関する情報を受ける入力手段、書込みパルスの期間を時間的に一定に保持する第一の変換手段、マークを記録する完全な書込みパルスの系列の期間を基準クロックの分数として保持する第二の変換手段、及び第二の書込みパラメータのセットを出力する出力手段を有する。
【００１０】
本発明は、異なる記録速度の書込みストラテジをスケーリングするスキームを提案する。パラメータ設定が所与の記録速度で既知又は予め決定されている場合、異なる記録速度に直接スケーリングされる。このターゲットとなる速度での書き込み性能は、少なくとも許容可能な記録性能となる。更なるステップでは、記録電力又は他の書込みパラメータを適合することは、勿論、記録性能を更に最適にする場合がある。
【００１１】
本発明は、２つの機能的な書込みパラメータのクラスを区別するという考えに基づいている。一方の書込みパラメータのクラスは、個々の書込みパルスに関連しており、他方のクラスは、所定の作用の長さについて完全なパルス列の期間に関連する。書き込みパルスである、第一のクラスの関連する時間スケールは、絶対時間のスケール（すなわちナノ秒）である。このカテゴリに属する書込みパラメータの設定は、異なる記録速度について絶対時間で一定に保持される。言い換えれば、このカテゴリの書込みパラメータは、記録速度が変化したとき、相対的な時間スケール（デューティサイクル）で変換する。書き込みパルスに直接関係しない書き込みパラメータの関連する時間スケールは、相対的な時間スケール（すなわち基準クロックに相対的）である。これらのパラメータは、記録速度が変化したときに基準クロックの分数として一定に保持される。
【００１２】
絶対時間スケールは、ディスクの情報レイヤで消散されるエネルギーすなわち温度プロファイルを定義するため、書込みパルスにとって重要である。書き込みパルスの間の光スポットの変位が高速であっても光スポットサイズよりも非常に小さいことが実現される必要がある。したがって、所定の絶対期間の書込みパルスは、記録速度にも関わらず、ディスクの情報レイヤにおける同じ領域を典型的に溶解する。全ての書込みパルスを時間的に一定に保持することは、同じ書込み電力を印加して、全ての記録速度での同様な記録結果を達成する。
【００１３】
本発明の実施の形態は、従属の請求項で定義される。実施の形態では、時間長ｎＴを有する偶数マークは、ｎ／２の書込みパルスの系列により書き込まれ（ｎは４，６，８又は１０に等しい整数値を表し、Ｔは基準クロックの１周期の長さを表す）、時間長ｎＴを有する奇数マークは、（ｎ−１）／２の書込みパルスの系列により書き込まれ（ｎは５，７，９又は１１に等しい整数値を表す）、時間長３Ｔを有するマークは単一の書込みパルスにより書き込まれることが提案される。
【００１４】
したがって、超高速ＣＤ−ＲＷ規格で定義される２Ｔライトストラテジが本発明に従って利用される。しかし、本発明は、１Ｔライトストラテジ又はｍＴライトストラテジ（ここでｍは２よりも大きな整数）といった他の２Ｔライトストラテジにも同様に適用される。２Ｔライトストラテジの速度スケーリングは、２つのランレングスのシリーズ、すなわち奇数の作用と偶数の作用が存在するので困難である。問題は、対応する偶数作用として同じ数の書き込みパルスで書き込まれる奇数の作用が常に存在することであり、たとえば、４Ｔ及び５Ｔのマークは２つの書込みパルスで共に書き込まれる。ここで、２Ｔライトストラテジは、結果として４Ｔ又は５Ｔのマークのいずれかを与えるように調整される必要がある。しかし、たとえば記録パラメータといった記録パラメータが変化するとすぐ、結果的に得られるマークの長さは、奇数及び偶数のマークについて異なって振舞う場合がある。１Ｔライトストラテジのケースでは、この問題はドラマティックではなく、マークは（ｎ−１）の書込みパルスで書き込まれ、したがって同じ数の書き込みパルスで書き込まれる２つのマークが決して存在しない。
【００１５】
更なる実施の形態によれば、奇数マークを書き込みための書込みパルスの系列における最後の書込みパルスは、偶数マークを書き込むための書込みパルスの系列における最後の書込みパルスよりも長い期間Δ1であり、奇数マークを書き込むための書込みパルスの系列における最後の書込みパルスに先行するギャップは、偶数マークを書き込むための書込みパルスの系列における最後の書込みパルスに先行するギャップよりも長い期間Δ1である。
【００１６】
したがって、第二の記録速度について第二の書込みパラメータのセットが決定されたとき、期間Δ1は時間的に一定に保持されることが好ましい。好ましくは、かかる期間Δ1は、１〜５ナノ秒までのレンジ、特に２〜４ナノ秒までのレンジにある。Δ1の例示的な値は３．６ナノ秒である。余りに小さなΔ1の値が使用された場合、奇数マークのクーリングギャップが偶数マークのクーリングギャップよりも非常に長くされる必要があり、これは、１Ｔの差が書き込みパルス列のパルス列に何処かに配置される必要があるためである。結果として、作用の形状は現実的に異なり、これによりジッタが増加する。余りに高いΔ1の値が使用される場合、最後の奇数マークが比較的長くなり、これにより、クーリングが増加されるエネルギーを処理するために十分に良好ではないので再結晶化を引き起こし、更に高いジッタが生じる。
時間的に一定に保持されるべき書込みパラメータの好適なレンジ、及びこれらのパラメータの好適な実質的な値は、請求項５で定義される。
【００１７】
本発明の更なる実施の形態によれば、時間長３Ｔを有するマークは、時間長Ｔ３’−ｄＴ3を有する単一の書込みパルスにより書き込まれ、その開始は、偶数又は奇数のマークを書き込むための書込みパルスの開始とは相対的に期間ｄＴ3により遅延され、偶数マークを書き込むための書込みパルスよりも長い期間Δ3−ｄＴ3である。
【００１８】
３Ｔマークを書き込むための書込みパルスが単一の書込みパルスの期間に関して固定された時間期間を有する時間期間Δ3により延長されるとき、３Ｔマークを書き込むための良好な系列が得られる。なお、先に記載された超高速ＣＤ−ＲＷ規格で定義されるようにｄＴ3は、正又は負の値を有する場合がある。超高速のＣＤ−ＲＷ規格における遅延として定義される。
【００１９】
所定のマーク長の完全な書込みパルス列の長さを定義するパラメータは、基準クロックの分数（フラクション）として定義される。好適な選択は、通常の書込みパルスと相対的な書込みパルス系列の終わりで、消去パルスの開始としてパラメータΘeven、Θodd及びΘ3を定義することであり、すなわち、長さｎＴのマークについて、マークの開始の後で消去電力レベルは、（ｎ−Θ）Ｔを始める。
【００２０】
本発明の別の実施の形態によれば、時間長ｎＴを有するマークを書込むための完全な書込みパルスの系列の期間は、（ｎ−Θeven）Ｔに等しく（この場合ｎは４，６，８又は１０に等しい整数値を表す）、時間長ｎＴを有するマークを記録するための完全な書込みパルスの系列の期間は、（ｎ−Θodd）Ｔに等しく（この場合ｎは５，７，９又は１１に等しい整数値を表す）、時間長３Ｔを有するマークを記録するための単一の書込みパルス及び後続するクーリングギャップの期間は、（３−Θ3）Ｔに等しい（ここでΘeven、Θodd及びΘ3の値は基準クロックＴの分数として一定に保持される）。
【００２１】
この新たなΘ−パラメータのセットを導入する理由は、所定のマーク長が、約６Ｔの長さのパルス列で常に書き込まれるＩ６マークのような所定のパルス列の長さで常に書き込まれることである。この基本ルールは、実際に記録速度を保持する。したがって、関連するΘ−パラメータは、記録速度が変わったときに実質的に変わらないことを期待することができる。なお、Θ−パラメータは強く結合される。一般に、Θ−パラメータ間の差は非常に小さく、好ましくは２／８Ｔよりも小さい。
【００２２】
Θ−パラメータの好適なレンジ及び好適な実質的な値は、請求項８に定義される。これらのパラメータが通常の書込みパルスの時間長及び期間Δ1のような他のパラメータに依存する。
【００２３】
本発明は、記録装置に好適に適用され、この記録装置は、放射ビームを提供する放射源、放射ビームの電力を制御し、マークを記録するためのパルス系列を供給するために作用する制御ユニット、記録速度を選択及び／又は制御するために作用する選択ユニット、第一の記録速度でマークを記録する２Ｔライトストラテジの第一の書込みパラメータのセットを、請求項２記載の方法に従って第二の記録速度でマークを記録するための２Ｔライトストラテジの第二の書込みパラメータのセットに変換するための変換装置を有する。
【００２４】
このことは、動作の間、記録速度が変化したとき、たとえば第一のデータがディスクの内側で記録され、その後のデータがディスクの外側で記録されたとき、実時間で新たな書込みパラメータのセットを（大部分に）決定することができることを意味する。これは、一定の角速度モードで記録されるか、又は部分的に一定の角速度モードで記録されたときに利用するために使用され、この場合、今日のドライブにより大部分に使用されているように、ディスクの内側部分は、一定の角速度モードで記録され、ディスクの外側部分は、一定の線形速度モードで記録される。
【００２５】
別の実施の形態によれば、記録装置は、異なる記録速度でマークを記録するために設定する少なくとも２つの書込みパラメータのセットを記憶する記憶手段を更に有し、上記変換装置は、選択された記録速度に従って上記記憶手段からの対応する書込みパラメータのセットを選択するのに更に作用する。したがって、たとえば記録の間に記録装置により典型的に使用される記録速度といった異なる記録速度に２以上の書込みパラメータのセットが前もって決定されること、動作の間、適切な書込みパラメータの設定が適用される記録速度に従って選択される。
【００２６】
書込みパラメータの変換は、たとえばデータの記録用の新たなディスクが挿入されたときといったデータの記録の間又はデータの記録の前にドライブ自身で行うことができ、又は、代替的に、記録装置のたとえばルックアップテーブルに異なる書込みパラメータのセットを記憶するドライブの製造者により行うことができる。したがって、本発明は、装置自身での（ほとんど）リアルタイムスケーリング用に使用されるか、又はドライブ開発の間のスケーリング用に使用される。
【発明を実施するための最良の形態】
【００２７】
本発明は、添付図面を参照して更に詳細に説明される。
図１Ａは、時間の関数としてのデジタルデータ信号１００を示している。このデジタルデータ１００は、記録キャリアの情報レイヤで記録されるべきマークの長さを表している。垂直の点線は、データ信号１００に属する基準のクロック信号における遷移を示している。Ｔは、この基準クロックの１周期を示しており、チャネルビット周期とも呼ばれる。デジタルデータ信号１００は、３Ｔから１１Ｔへのレンジで記録されるべきマークを表しており、基準クロック時間の記録速度倍である３〜１１周期の期間に実質的に等しい長さを有するマークである。
【００２８】
図１Ｂは、偶数マークすなわち４Ｔ、６Ｔ、８Ｔ及び１０Ｔマークを記録するための対応する制御信号２００を示しており、図１Ｃは、奇数マークすなわち５Ｔ、７Ｔ、９Ｔ及び１１Ｔマークを記録するための対応する制御信号２０１を示している。図１Ｄは、３Ｔマークを記録するための制御信号２０２を示している。
【００２９】
制御信号は、放射線ビームの電力を制御するために使用され、放射線ビームの電力は、制御信号の対応するレベルに比例する。マークは、書込み電力レベルＰW及びパルス間でのバイアス電力レベルＰbを有するパルス系列により記録される。記録されるマーク間の前に記録されたマークは、消去電力レベルＰeを印加することにより消去される。
【００３０】
２Ｔライトストラテジが使用されるので、ｎＴの時間長を有する偶数マークは、ｎ／２パルス系列により記録され、ｎＴの時間長を有する奇数マークは、（ｎ−１）２パルス系列により記録される。これにより、図１Ｂ及び図１Ｃにおける破線で示されるように、２つのパルス系列により記録される４Ｔ偶数マーク及び５Ｔ奇数マーク、３つのパルス系列により記録される６Ｔ偶数マーク及び７Ｔ奇数マーク、４つのパルス系列により記憶される８Ｔ偶数マーク及び９Ｔ奇数マーク、５つのパルス系列により記録される１０Ｔ偶数マーク及び１１Ｔ奇数マークを生じる。偶数マーク及び奇数マークの両者について、良好な品質の記録されたマーク（すなわち、規定されたレンジでジッタを有する）を得るため、奇数マークを記録するためのパルス系列が調節され、奇数マークを書き込むためのパルス系列における最後のパルスは、期間Ｔmpを有する偶数マークを書き込むためのパルス系列における最後のパルスよりも長い期間Δ1となり、奇数マークを書き込むためのパルス系列における最後のパルスに先行するギャップは、偶数マークを書き込むためのパルス系列における最後のパルスに先行するギャップよりも長い期間Δ1となる。
【００３１】
さらに、所定のマーク長について完全なパルス列の長さを定義するパラメータが定義される。パラメータΘevenは、偶数マークを書き込むために制御信号２００について定義され、パラメータΘoddは、奇数マークを書き込むための制御信号２００について定義され、両者は、通常のマーク長とは相対的にパルス列に従う消去電力レベルの開始として定義され、すなわち、長さｎＴのマークについて、消去電力レベルＰeは、マークの開始の後に（ｎ−Θ）Ｔで開始する。
【００３２】
図１Ｄは、３Ｔマークを記録するための制御信号２０２を示している。３Ｔマークは、単一のパルスにより書き込まれ、そのパルスの開始は、偶数マーク又は奇数マークを書き込むための書込みパルスの開始とは相対的にｄＴ3の期間（ｄＴ3はこのケースでは負）により遅延され、そのパルスは、偶数マークを書き込むための書込みパルスよりも長い期間Δ3＋ｄＴ3である。制御信号２０２について、パラメータΘ3は、通常のマーク長とは相対的な書き込みパルスに従う消去電力レベルＰeの開始として定義され、すなわち、３Ｔマークについて、消去電力レベルＰeは、３Ｔマークの開始の後で（３−Θ3）Ｔで開始する。
【００３３】
図２Ａは、３Ｔマークとして記録されるべきデジタルデータ信号１０３を示している。図２Ｂは、ＣＤオーディオ規格に従うデータを再生するために使用される速度よりも早い記録速度２４倍である、２４×記録速度で情報レイヤにマークを記録するために調整される、デジタル信号１０３に関連する制御信号２０３を示しており、ここで基準クロックの１周期Ｔは、近似的に２３１ｎｓである。同様に、図２Ｃは、８×の記録速度で情報レイヤにマークを記録するために調整される、デジタルデータ信号１０３に関する制御信号２１３を示している。２４×についてＴ＝９．６ｎｓ及び８×についてＴ＝２８．８を考慮して、単一の書込みパルスの期間すなわちＴ’3−ｄＴ3は、たとえばｄＴ3＝０．５ｎｓ及びＴ’3＝１３ｎｓといった時間的に一定に保持されることがわかる。さらに、パラメータΘ3は、たとえば２４×について８．４ｎｓ及び８×について２５．２ｎｓであるΘ3＝７／８Ｔといった、基準クロックＴの分数として一定に保持される。
【００３４】
図３Ａは、４Ｔマークとして記録されるべきデジタルデータ信号１０４を示す。図３Ｂは、２４×記録速度で情報レイヤにマークを記録するために調整される、デジタルデータ信号１０４に関連する制御信号２０４を示している。同様に、図３Ｃは、８×の記録速度で情報レイヤにマークを記録するために調整される、デジタルデータ信号１０４に関連する制御信号２１４を示している。書き込みパルスの期間すなわちＴmpは、たとえばＴmp＝７．２ｎｓといった時間的に一定に保持されることがわかる。さらに、パラメータΘevenは、２４×について８．４ｎｓ及び８×について２５．２ｎｓであるΘeven＝７／８Ｔといった、基準クロックＴの分数として一定に保持される。
【００３５】
図４Ａは、５Ｔマークとして記録されるべきデジタルデータ信号１０５を示している。図４Ｂは、２４×の記録速度で情報レイヤにマークを記録するために調整される、デジタルデータ信号１０５に関する制御信号２０５を示している。同様に、図４Ｃは、８×の記録速度で情報レイヤにマークを記録するために調整されるデジタルデータ信号１０５に関連する制御信号２１５を示している。書き込みパルスの期間すなわちＴmp及びＴmp＋Δ1のそれぞれは、たとえばＴmp＝７．２ｎｓ及びΔ1＝３．６ｎｓといった時間的に一定に保持されることがわかる。さらに、パラメータΘoddは、２４×について９．６ｎｓ及び８×について２８．８であるΘodd＝８／８Ｔといった、基準クロックＴの分数として一定に保持される。さらに、パラメータΘoddは、たとえば２４×について９．６ｎｓ及び８×について２８．８ｎｓであるΘodd＝８／８Ｔといった、基準クロックの分数として一定に保持される。
【００３６】
図５は、ディスク状の記録キャリア３０の情報レイヤ３０１にマークを記録するための本発明に係る記録装置の実施の形態を示している。情報レイヤ３０１は、いわゆる相変化タイプのものであって、すなわち、結晶相と非結晶相との間で可逆的に変化可能である位相を有している。記録キャリアは、モータ３４によりその中心に関して回転される。放射線ビーム３２は、たとえばレーザ光源のような放射線源３１により発生され、レンズ３３により情報レイヤ３０１に焦点合わせされる。
【００３７】
放射線ビーム３２の電力は、制御ユニット６２により供給される制御信号ＳCにより制御され、放射線ビーム３２の電力が制御信号ＳCの対応するレベルに比例することが想定される。かかる制御信号ＳCの例は、図１Ｂ〜１Ｄ、図２Ｂ〜２Ｃ、図３Ｂ〜３Ｃ及び図４Ｂ〜４Ｃに示されている。制御ユニット６２は、記録キャリア３０の情報レイヤ３０１に記録されるべきマークの長さを表すデジタルデータ信号ＳDを対応する制御信号ＳCに変換する。この変換は、いわゆるライトストラテジに基づいており、本発明に係る２Ｔライトストラテジである。かかるデジタルデータ信号Ｓdの例は、図１Ａ、図２Ａ、図３Ａ及び図４Ａに示されている。
【００３８】
パルスのパターン及び制御信号ＳCにおけるパルス間のギャップは、印加される２Ｔライトストラテジに関連する書込みパターンＷ１’、Ｗ２’のセットに基づいている。これら書込みパラメータＷ１’、Ｗ２’は、変換装置６１の出力ユニット６１４により制御ユニット６２に供給される。この書込みパラメータのセットでは、第一のサブセットＷ１’は、新たな記録速度Ｒ’に従って（第一の、たとえばデフォルトの記録速度Ｒに調整される）書込みパラメータＷ１の対応するサブセットから第一の変換ユニット６１２により決定されるとき、時間的に一定に保持される書込みパラメータを示している。第二のサブセットＷ２’は、新たな記録速度Ｒ’に従って第二の変換ユニット６１３により（上記第一の、たとえばデフォルトの記録速度Ｒに調整される）書込みパラメータＷ２の対応する前のサブセットから決定されるとき、基準クロックＴの分数として一定である書込みパラメータを示す。
【００３９】
最初の（第一の）記録速度Ｒ及び新たな（第二の）記録速度Ｒ’に関する情報は、モータ３４の記録速度の選択及び／制御について調整される、選択ユニット６０から変換装置の入力手段６１１により受信される。記録速度の選択及び／又は制御は、たとえば、記録キャリア３１の識別に基づいており、この識別は、たとえば、記録キャリア３０に記憶されるメディア識別子に基づいている場合がある。選択ユニット６０は、一定の角速度モード、部分的に一定の角速度モード、又はゾーンにされた一定の線形速度モードに従って記録速度の制御について更に適合される場合があり、記録速度は、データが記録されるべき情報レイヤ３０１のポジションに適合される。したがって、記録速度は、特定の記録速度が媒体３０の特定の領域に割り当てられる場合、記録の間に連続的に変更することができるか、又はステップで変更することができる。
【００４０】
サブセットＷ１、Ｗ２を有する第一の、すなわちデフォルトの書込みパラメータＷのセットは、ストレージユニット６３から入力ユニット６１１により更に得られる。このストレージユニット６３は、デフォルトストレージユニット６３２における特定の記録速度について適合される少なくとも１つの書込みパラメータのセットを記憶する。異なる記録速度の全ての他の書込みパラメータのセットは、このデフォルトの書込みパラメータのセットから変換装置６１により決定される。この決定は、選択ユニット６０により記録速度が変化するときに、オンライン及びリアルタイムで行われるのが好ましい。これは、これら書き込みパラメータのセットが、適用されるべき記録モードに基づくか、又はこの特定の記録キャリア３０にデータを記録するために適用される記録速度の識別に基づいて、実際の記録が実行されるちょうど前に記録装置により決定されることを意味する。
【００４１】
しかし、異なる記録速度の異なる書込みパラメータのセットはルックアップテーブル６３１に記憶されることも代替的に可能であり、記録速度における変化に応じて、適切な書込みパラメータＷ’のセットがこのルックアップテーブル６３１から選択され、いずれかの変換の必要なしに変換装置６１の出力手段６１４により制御ユニット６２に即座に供給される。ルックアップテーブル６３１に記憶される異なる書込みパラメータのセットは、記録装置の製造者により供給され、この製造者は、類似又は同一の変換装置６１を使用してこれら書き込みパラメータのセットを決定することが好ましい。
【００４２】
ライトストラテジを異なる記録速度にスケーリングするため、基本的な書込みパラメータのセットが開始するために必要とされる。良好な開始ポイントは、たとえば、欧州特許出願０２０８０３９４．６（ＰＨＮＬ０２１３９１ＥＰＰ）に記載された書込みパラメータのセットのような、たとえば１６×の記録速度でのデフォルトの書込みパラメータのセットである。この書込みパラメータのセットは、内径での最大の速度がＣＤ−ＲＷについて典型的に１６×であるために実際の駆動における開始ポイントとしても役立つ場合がある。これらの書込みパラメータは、２４×及び８×のそれぞれにスケーリングすることができる。
【００４３】
この開始ポイントを使用して、１６×で、マーク及びスペース長は規定されたレンジで良好に分布され、全てのスペース及び全てのマークのデータ−データ間のジッタは（１クロック周期Ｔの時間領域／時間長で測定される所定のマーク長の標準偏差）、典型的に９％であって低い。使用される書込み電力は、例として３６ｍＶである。これは、全ての作用の長さに関連し、すなわち３Ｔ〜１１Ｔのマークの記録に関する。
【００４４】
第一のステップで２４×について書き込みパラメータのセットを得るため、１６×の書き込みパラメータは、先に記載されたように直接スケーリングされ、すなわちパルスタイプのパラメータ（Ｔmp、Ｔ3、ｄＴ3、Δ1）は、時間的に一定に保持され、シータパラメータ（Θodd、Θeven、Θ3）は、クロックの分数として一定に保持される。さらに、１６×と同じ書き込みパラメータが使用される。マークジッタは（典型的に９％）の低いままであって、マーク長の分布も許容される。スペースジッタは、１１〜１２％に僅かに増加され、１５％の規定されたレンジのままである。したがって、何れかのパラメータ変化なしで２４×への直接のスケーリングの後の書込みパフォーマンスは、良好な書込みパフォーマンスとなる。任意に、第二のステップでは、パフォーマンスは、本実施の形態で更に詳細には記載されたいファインチューニング動作で、書込み電力又は書き込みパラメータを調整することで更に改善することができる。
【００４５】
典型的なスケーリングアプリケーションは、先に記載されたように高速にスケーリングすることである。幾つかのケースでは、低速へのスケーリングは、たとえば所定の速度での書き込み性能が許容できないときであって、低速での記録が許容されるときに有効な場合がある。例として、１６×の書込みパラメータは、８×の書込みパラメータにスケーリングされる場合がある。パラメータ及び書込み電力の変化なしで、結果的に得られる記録性能は優れたものであることが理解された。
【００４６】
典型的な８×、１６×及び２４×について使用される書込みパラメータは、以下の表で列挙される。
【００４７】
【表１】
2006528817.tif 000003
この表では、２４×及び８×に書込みパラメータは、１６×での書込みパラメータから得られる。太字により示される値は、絶対時間又は相対的な時間のスケールで一定に保持される。この経験は、１６×が８×と２４×との間にあるので、１６×、２４×及び８×から行われている。低い記録速度又は高い記録速度のいずれかへのスケーリングは、特にドライブ開発の環境において、実際に有効とすることができる。さらに、８×は、ラップトップにおけるドライブがディスクのない計で８×で通常開始するので、実際に重要な速度でもある。
【００４８】
先に記載されたパラメータは、記録プロセスの物理を理解するための適切なセットである。実際のアプリケーションにとって、超高速のＣＤ−ＲＷ規格で定義される書込みパラメータが好適なことがある。先に記載された書込みパラメータと規格で定義される書込みパラメータとの間の関係は、以下のとおりである。
【００４９】
【表２】
2006528817.tif 000004
一般に、書込みパラメータは、書き込みクロックＴの小分割としてドライブで実現される。これは、相対的な時間スケールの自然の選択であり、したがって、これらパラメータのスケーリングは率直なものである。しかし、絶対時間スケールに基づいてスケーリングされる書込みパラメータは、特定の装置で利用可能な小分割に整合される必要がある。
【図面の簡単な説明】
【００５０】
【図１】図１Ａ〜図１Ｄは、本発明に係る、デジタル信号と、マークを記録するための放射線ビームの電力を制御するために制御信号との時間依存性に関する図である。
【図２】図２Ａ〜図２Ｃは、デジタルデータ信号と、３Ｔマークを記録するための放射線ビームの電力を制御するための制御信号との時間依存性に関する図である。
【図３】図３Ａ〜図３Ｃは、４Ｔマークを記録するための放射線ビームの電力を制御するための制御信号との時間依存性に関する図である。
【図４】図４Ａ〜図４Ｃは、デジタルデータ信号と、５Ｔマークを記録するための放射線ビームの電力を制御するための制御信号との時間依存性に関する図である。
【図５】本発明に係る記録装置のブロック図である。
【図１Ａ】
2006528817.tif 000005
【図１Ｂ】
2006528817.tif 000006
【図１Ｃ】
2006528817.tif 000007
【図１Ｄ】
2006528817.tif 000008
【図２Ａ】
2006528817.tif 000009
【図２Ｂ】
2006528817.tif 000010
【図２Ｃ】
2006528817.tif 000011
【図３Ａ】
2006528817.tif 000012
【図３Ｂ】
2006528817.tif 000013
【図３Ｃ】
2006528817.tif 000014
【図４Ａ】
2006528817.tif 000015
【図４Ｂ】
2006528817.tif 000016
【図４Ｃ】
2006528817.tif 000017
【図５】
2006528817.tif 000018
【国際調査報告】
2006528817.tif 000019
2006528817.tif 000020
2006528817.tif 000021